(57)【要約】        適応セキュリティ装置は、タグモジュールおよびプロセッサモジュールを含む。プロセッサモジュールはタグ無効化電子回路およびコントローラを含む。コントローラは、タグ無効化電子回路にタグ制御コマンドを提供する。タグ無効化電子回路はタグ制御コマンドに基づいてタグモジュールを選択的に有効化、または無効化する。一実施形態において、タグモジュールは電子物品監視（ＥＡＳ）タグモジュールである。
2010525487.tif 000002
【特許請求の範囲】
【請求項１】
適応セキュリティ装置であって、
タグモジュールと、
プロセッサモジュールとを備え、前記プロセッサモジュールは、
タグ無効化電子回路と、
コントローラとを有し、このコントローラは前記タグ無効化回路に少なくとも１つのタグ制御コマンドを提供し、前記タグ無効化電子回路は前記少なくとも１つのタグ制御コマンドに基づいて前記タグモジュールを選択的に有効化および無効化するように動作可能である適応セキュリティ装置。
【請求項２】
前記タグモジュールは電子物品監視（ＥＡＳ）タグモジュールである請求項１に記載の適応セキュリティ装置。
【請求項３】
前記プロセッサモジュールはさらに前記コントローラに接続されたセンサーを含み、前記センサーはＥＡＳ検査装置の有無を検出するように動作可能である請求項２に記載の適応セキュリティ装置。
【請求項４】
前記ＥＡＳタグモジュールは、
ＥＡＳ検査装置から検査信号を受信し、前記検査信号は第１の周波数を有し、
応答信号を発し、前記応答信号は、第2の周波数を有し、ＥＡＳタグが有効である場合には前記第１の周波数が実質的に前記第2の周波数と同一であり、
前記ＥＡＳ検査装置に前記応答信号を送信するように動作可能である請求項２に記載の適応セキュリティ装置。
【請求項５】
前記ＥＡＳタグモジュールは、
ＥＡＳ検査装置から検査信号を受信し、前記検査信号は第１の周波数を有し、
応答信号を発し、前記応答信号は、第2の周波数を有し、前記ＥＡＳタグが無効である場合には前記第１の周波数が実質的に前記第2の周波数と同一ではなく、
前記ＥＡＳ検査装置に前記応答信号を送信するように動作可能である請求項２に記載の適応セキュリティ装置。
【請求項６】
前記タグ無効化電子回路は、
変更された周波数が前記ＥＡＳ検査装置により検出可能な周波数範囲外になるように前記ＥＡＳタグモジュールにより発生する共振周波数の変更に充分な電流を発生する電圧制御電流源を含む請求項２に記載の適応セキュリティ装置。
【請求項７】
前記電圧制御電流源は一対の相補トランジスタを含む請求項６に記載の適応セキュリティ装置。
【請求項８】
前記電圧制御電流源は演算増幅器を含む請求項６に記載の適応セキュリティ装置。
【請求項９】
前記タグ無効化電子回路は電力損失のとき前記ＥＡＳタグモジュールを有効化するように動作可能である請求項２に記載の適応セキュリティ装置。
【請求項１０】
前記ＥＡＳタグモジュールは、ＥＡＳ検査装置の有無を検出するための検出要素をさらに含む請求項２に記載の適応セキュリティ装置。
【請求項１１】
前記ＥＡＳタグモジュールは、
縦軸と、
前記ＥＡＳタグモジュールの前記縦軸の周りに巻かれたワイヤで、前記ワイヤは、変更された周波数が前記ＥＡＳ検査装置により検出可能な周波数範囲外になるように前記ＥＡＳタグモジュールにより発生した共振周波数の変更に充分な電流を発生するように備えられる、ワイヤと、
をさらに含む、請求項２に記載の適応セキュリティ装置。
【請求項１２】
前記巻かれたワイヤの巻数と前記ワイヤを通る電流とを掛算した積が３００ミリアンペア回数以上である請求項１１に記載の適応セキュリティ装置。
【請求項１３】
ＥＡＳタグを有効化／無効化するための適応ＥＡＳセンサーであって、
検出要素、
タグ無効化電子回路、および
前記検出要素から信号を受信するように適応されたコントローラを含み、前記コントローラは前記検出要素からの前記受信した信号に基づいて少なくとも１つのタグ制御コマンドを前記タグ無効化回路に提供し、前記タグ無効化電子回路は前記少なくとも１つのタグ制御コマンドに基づいて前記ＥＡＳタグを選択的に有効化および無効化するように動作可能である、ＥＡＳタグの有効化／無効化のための適応ＥＡＳセンサー。
【請求項１４】
検出要素はＥＡＳ検査装置の有無を検出するように動作可能である請求項１３に記載の適応ＥＡＳセンサー。
【請求項１５】
前記タグ無効化電子回路は、制御可能な電流源を含み、前記制御可能な電流源は、変更された周波数がＥＡＳ検査装置により検出可能な周波数範囲外になるように前記ＥＡＳタグモジュールにより発生した共振周波数の変更に充分な電流を発生する請求項１３に記載の適応ＥＡＳセンサー。
【請求項１６】
前記コントローラは、
前記ＥＡＳタグを有効化するように動作可能である前記タグ制御コマンドを発生し、
変更された周波数がＥＡＳ検査装置により検出可能な周波数範囲外になるように前記ＥＡＳタグにより発生した共振周波数の変更に充分な電流を出力するように前記タグ無効化電子回路に指示するように動作可能である請求項１３に記載の適応ＥＡＳセンサー。
【請求項１７】
前記コントローラは、
前記ＥＡＳタグを無効化するように動作可能である前記タグ制御コマンドを発生し、
電流を出力しないように前記タグ無効化電子回路に指示し、その結果としてＥＡＳ検査装置により検出可能な共振周波数が前記ＥＡＳタグにより発生されるように動作可能である請求項１３に記載の適応ＥＡＳセンサー。
【請求項１８】
前記タグ無効化電子回路は、電力損失のとき前記ＥＡＳタグを有効化するように動作できる請求項１３に記載の適応センサー。
【請求項１９】
資産を盗難から保護する方法であって、
適応セキュリティ装置の有効状態を示す少なくとも一つのタグ制御コマンドを受信するステップと、
前記少なくとも一つのタグ制御コマンドに基づいて前記適応セキュリティ装置を選択的に有効化および無効化するステップと、を含む資産を盗難から保護する方法。
【請求項２０】
第１の周波数を有するＥＡＳ検査信号を受信するステップと、
応答信号を発生し、前記応答信号は第２の周波数を有し、ＥＡＳタグが有効である場合には前記第１の周波数が実質的に前記第２の周波数と同一であるステップと、
前記応答信号を送信するステップと、をさらに含む請求項１９に記載の方法。
【発明の詳細な説明】
【技術分野】
【０００１】
本発明は、電子物品監視（ＥＡＳ）システムに関し、特にＥＡＳおよび非ＥＡＳ装置のための適応セキュリティタグに関するものである。
【背景技術】
【０００２】
電子物品監視（ＥＡＳ）システムは、所与の検出領域の中でマーカーまたはタグの識別を可能にする検出システムである。ＥＡＳシステムは、様々な用途があるが、多くの場合は店舗での万引きまたは事務所ビルでの所有物の持ち出しを防止するためにセキュリティシステムとして使用されている。ＥＡＳシステムは様々な形態があり、幾つかの異なる技術を採用している。
【０００３】
典型的なＥＡＳシステムは電子検出器、タグおよび／またはマーカー、ならびに取り外し装置または無効化装置を含む。検出器は、例えば台座として形成されること、床の下に埋め込まれること、壁に取り付けること、および天井から吊るすことが可能である。検出器は一般的に、店舗または事務所ビルの出入り口等の人通りが多い場所に設置される。タグおよび／またはマーカーは特別な特徴を有し、保護することを目的とする商品またはその他の物品に装着するまたは埋め込むように特に設計されるものである。有効タグがタグ検出領域を通過すると、ＥＡＳシステムは、所定場所からタグが取り出されたことを示すために、アラームが鳴る、ライトが点灯するおよび／またはその他適切な警告装置が有効化される。別の資産保護方法としては、権限を有する人員が取り外せるまで装置をベースユニットにロックすることである。これは不便で非効率的である。
【０００４】
無線周波数識別（ＲＦＩＤ）および電子物品監視（ＥＡＳ）システムに使用される資本資産、例えば携帯バーコードスキャナー、ＲＦＩＤリーダー、ＥＡＳ装置およびその他在庫セキュリティ装置は、盗難から保護される必要があることが多い。これらの装置の盗難を保護する一つの典型的な方法は、携帯装置を例えばカウンターの上面、または下に設置されたスキャナー、無効化装置または台座等の固定されたものまたは表面につなげることである。そのように装置をつなげることは、これらの装置を保護する方法として、装置の移動性を大幅に制限し、操作が困難、不便になるので、好ましくない方法である。
【０００５】
また、装置をつなげずに保護する一つの方法は、保護する装置に無効化不可能なＥＡＳハードタグを搭載する（好ましくは隠れた場所または内側の場所に）ことであり、それにより何者かが装置を施設から持ち去ろうとするとＥＡＳ検出器が警報を発する。残る１つの問題は保護する装置自体がＥＡＳ装置であることがあるという問題だがその場合はＥＡＳ装置自体に検出されてしまうのでＥＡＳハードタグは正常に働かない。別の残る問題としては、装置を、例えば台座およびそれに対応する検出、無効化、および／または検査（ｉｎｔｅｒｒｏｇａｔｉｏｎ）領域のような他のＥＡＳセキュリティ装置の中で、あるいはその周辺で動作する必要がある場合がある。このように他のＥＡＳ装置の周辺での使用は、この他のＥＡＳ装置により検出されるためにアラームを発生することがある。
【０００６】
そのため、必要となるものは、ＥＡＳ検出領域内で、誤認警報を発生させずに、かつＥＡＳの出口システムで検出されるように動作できる資本資産の盗難から保護する適応セキュリティタグおよびシステムである。
【発明の概要】
【０００７】
本発明はＥＡＳおよび非ＥＡＳの資本資産を盗難から保護するための方法、適応セキュリティ装置およびＥＡＳセンサーを有利に提供する。適応セキュリティ装置はＥＡＳセキュリティタグモジュールを制御信号により選択的に有効化および無効化することを可能にする。
【０００８】
本発明の一実施形態において、適合セキュリティ装置は、タグモジュールおよびタグ無効化電子回路およびコントローラを備えるプロセッサモジュールを含む。コントローラは、タグモジュールを選択的に有効化したり無効化したりするために少なくとも１つの制御コマンドをタグ無効化回路に提供する。タグモジュールは電子物品監視（ＥＡＳ）タグモジュールであってもよい。
【０００９】
別の実施形態においては、ＥＡＳタグを有効化および無効化するための適応ＥＡＳセンサーは、検出要素、タグ無効化電子回路、および検出要素から信号を受信するように適応されたコントローラを含む。コントローラは検出要素から受信された信号に基づいて、少なくても１つのタグ制御コマンドをタグ無効化回路に提供する。信号を受信すると、タグ無効化電子回路は、少なくとも１つのタグ制御コマンドに基づいて選択的にＥＡＳタグを有効化または無効化するように操作することができる。
【００１０】
さらに別の実施形態において、資産を盗難から保護する方法は、適合セキュリティ装置の有効状態を示す少なくとも１つのタグ制御コマンドを受信すること、および受信されたタグ制御コマンドに基づいて適合セキュリティ装置を選択的に有効化および無効化することを含む。
【図面の簡単な説明】
【００１１】
本発明ならびにそれに付随する利点および特長は、以下の発明を実施するための形態とともに添付の図面を参照することにより完全に理解することができ、各図中、同様の番号は同様の要素を示す。
【図１】図１は本発明の原則に従い構成されたＥＡＳシステムに採用するＥＡＳセキュリティ装置のブロック図である。
【図２】図２は本発明の原則に従い構成されたＥＡＳセキュリティ装置における例示的な無効化電子回路の概略図である。
【図３】図３は本発明の原則に従い構成されたＥＡＳセキュリティ装置における別の例示的な無効化電子回路の概略図である。
【図４】図４は本発明の原則に従い構成されたＥＡＳセキュリティ装置における別の例示的な無効化電子回路の概略図である。
【発明を実施するための形態】
【００１２】
ここで、同様の参照番号が同様の要素を示す図面を参照すると、本発明の原則に従い構成された例示的な装置の図が図１に示されており、これを一般的に符号１００で表す。適応セキュリティ装置１００は保護するＥＡＳまたは非ＥＡＳ装置に取り付けることができる。適応セキュリティ装置１００は、プロセッサモジュール１０２およびＥＡＳタグアナログモジュール１０４を含む。プロセッサモジュール１０２は、装置１００と、ＥＡＳシステムまたはＲＦＩＤシステムのようなセキュリティシステムとの間の、例えば無線周波数、音響磁気、電磁等の信号の送受信を制御するコントローラ１０６を含む。
【００１３】
プロセッサモジュール１０２はタグ無効化電子回路１０８も含む。タグ無効化電子回路１０８は、コントローラ１０６から送信制御信号、例えば受信オフ（ＲＸＯＦＦ）を受信する。本実施形態において、例示する目的のみで、ＲＸＯＦＦ信号が論理的に高い場合、タグ無効化電子回路１０８は無効化信号を発生させず、アナログモジュール１０４は有効または使用可能のままである。一方、ＲＸＯＦＦ信号が論理的に低い場合は、タグ無効化電子回路１０８は、アナログモジュール１０４を無効にする無効化信号を発生する。送信制御信号ＲＸＯＦＦはコントローラ１０６が発生する制御コマンドの一例である。他の考えられる無効化イベントの例としては、保護するＥＡＳ装置が、例えばＥＡＳタグ検出器またはカウンターの上にある無効化装置等の別のＥＡＳ装置またはシステムの周辺内に入ることを含むが、それらに限らない。
【００１４】
プロセッサモジュール１０２は任意選択でセンサー１１０、送受信回路１１２および電源１１４を含むことができる。任意選択のセンサー１１０は様々なセンサー装置のどれであっても良く、店舗の出口に位置している台座等のＥＡＳ装置への、装置１００の接近を検出または測定できる近接センサーを含むがそれに限らない。任意選択のセンサー１１０を、タグアナログモジュール１０４が提供する任意のセンサー機能性に加えて使用することができる。例えば、タグアナログモジュール１０４が店舗出口に位置しているＥＡＳ台座により作られた検出または検査領域に近づくと、タグアナログモジュール１０４は検出領域の信号を「検出」し、この情報を適切な処理のためにプロセッサモジュール１０２に報告することができる。本実施形態において、プロセッサモジュール１０２は、ＥＡＳシステムおよび非ＥＡＳシステムと使用するための携帯装置に挿入または統合された、任意の標準処理回路基板の一部であっても良い。
【００１５】
下記適合セキュリティ装置１００の説明はＥＡＳタグ無効化装置のような携帯ＥＡＳ装置に関するが、本発明は、バーコードスキャナー、ＲＦＩＤリーダーまたはその他ＥＡＳ検出領域に近いまたはその領域内で使用され誤認警報を発生する設備等の非ＥＡＳ装置に対して同様に当てはまる。
【００１６】
図２は図１のタグ無効化電子回路１０８をより詳細に図示するものである。本実施形態においては、タグ無効化電子回路１０８は、誘導子２１０およびコンデンサ２１２により構成されたＬＣ回路２１４の共振周波数を変更するに充分な電流を発生するための、電圧制御の電流源を構成するために抵抗２０４と並列に接続された電流源２０２を含み、それによって適応タグ１００はＥＡＳ装置に作られた検出領域に近いまたはその領域内に入るとアラームを発生しない。例えば、ＥＡＳシステムは、基本周波数の５８ｋＨｚで無線周波数の検査信号を送信する。従来のＥＡＳシステムでは、送信信号が適応セキュリティタグ１００にエネルギーを与え、タグは応答として単一の周波数信号を、送信機信号とおよそ同一の周波数、つまり５８ｋＨｚで発生する。しかしながらタグ応答信号の周波数が送信機信号の周波数と等しくない場合、ＥＡＳシステムは適応セキュリティタグ１００を検出しない。スイッチ２０６、２０８を閉じることにより、電圧制御電流源２０２は直流電流波形、例えば３００ミリアンペア回数（ｍＡＴ）を、誘導子２１０を通して駆動することができ、タグ応答信号の周波数を５８ｋＨｚ以外の周波数に変更する。本実施例において３００ｍＡＴの駆動電流を使用すると、応答周波数を少なくとも３ｋＨｚ変更でき、それは、適合セキュリティタグ１００を「無効化」するには充分であり、結果としてＥＡＳ検出システムはアラームを発生しない。しかしながらＥＡＳシステムが検出できる範囲外にタグ応答信号の周波数を切り替えるのに充分な代替駆動電流レベルも同等に機能する。
【００１７】
図３は図２のタグ無効化回路１０８の別の例示的な実施形態を図示する。本実施形態では、２つの電界効果トランジスタ（ＦＥＴ）Ｑ１およびＱ２がそれぞれ低側スイッチおよび高側スイッチとして機能し、駆動されていない時にタグ無効化回路１０８を切断する。本実施形態において、ＦＥＴＱ１およびＱ２がスイッチ２０６および２０８（図２）と同様に２極スイッチとして機能する。本実施例において、Ｑ１およびＱ２は相補的トランジスタであり、Ｑ１はｐチャンネルＭＯＳＦＥＴであり、Ｑ２はｎチャンネルＭＯＳＦＥＴである。タグ無効化回路１０８はバイポーラ接合トランジスタ（ＢＪＴ）Ｑ３をさらに含むことができ、それはＦＥＴのＱ２を駆動するために適切なゲート電圧を提供する。
【００１８】
タグ無効化回路１０８は、電流信号をフィルターし、かつ調節し、タグ無効化回路１０８の動作のために必要な任意の電圧低下を提供するために、さらに様々な抵抗、例えばＲ１、Ｒ２、Ｒ３およびＲ４、ならびに様々なコンデンサ、例えばＣ１、Ｃ２を含むことができる。例えばＲ１はＱ１に直流バイアスを提供し、Ｒ２、Ｒ３、およびＲ４は、Ｑ３に直流バイアスを提供する。Ｃ１およびＣ２は、電源（＋３．３Ｖ）および出力信号の陽性側において交流アースを提供する。タグ無効化制御信号、例えばＲＸＯＦＦＢは、タグ無効化回路１０８の低側スイッチＱ１および高側スイッチＱ２を「開」および「閉」することを制御する。
【００１９】
図３の例示的な回路はタグ無効化制御信号ＲＸＯＦＦＢの有効化により作動する。本実施例において、ＲＸＯＦＦＢが高い状態に維持されるとき、例えばＲＸＯＦＦＢでの電圧が３．３Ｖの場合、回路が有効である。ＲＸＯＦＦＢが高いと、Ｑ２のゲートソース電圧はＱ２を有効化しソースとドレインとの間に電気経路を提供するのに充分であり、それによって「高側スイッチ」、つまりＱ２、を閉じる。Ｑ２のドレインで生じた電圧はＱ１のゲートで同様な電圧を提供し、それによってＱ１を有効化するのに充分なゲートソース電圧を生み出し、「低側スイッチ」を閉じる。タグモジュール１０４への電流は、タグモジュール１０４からタグ無効化回路１０８へ漏れ戻ることを防ぐダイオードＣＲ１を通して伝導される。さらに、ＲＸＯＦＦＢが高い状態に引き上げられた場合、分圧抵抗Ｒ２およびＲ３により生じたＱ３のベースでの電圧は、Ｑ３を有効化するのに充分なベースエミッタ電圧を提供し、それによってタグモジュール１０４を駆動するため電流の復路を提供する。
【００２０】
図４は、図２のタグ無効化回路１０８の別の例示的な実施形態を図示する。本実施形態において、タグ無効化回路１０８は演算増幅器（オペアンプ）Ｕ１を含み、それは適切なタグ無効化コマンド、例えばＰ＿ＲＸＯＦＦをコントローラ１０６から受信したときに、適応タグ１００を無効化するためにタグ無効化回路１０８に接続したアナログタグモジュール１０４に駆動電流を提供するものである。本実施例において、Ｐ＿ＲＸＯＦＦは演算増幅器Ｕ１のシャットダウンピンに接続されており、高く（例えば＋３．３Ｖに）引き上げられると演算増幅器Ｕ１を有効化する。タグ無効化回路１０８は、電流信号をフィルターし、調節し、かつバイアスし、タグ無効化回路１０８の正常の動作のために演算増幅器Ｕ１へ任意の必要な電圧低下を提供するために、さらに様々な抵抗、例えばＲ５、Ｒ６、Ｒ７、および様々なコンデンサ、例えばＣ３、Ｃ４を含んでも良い。例えば、Ｒ６およびＲ７により形成された抵抗分割ネットワークは演算増幅器Ｕ１の正の入力（ピン３）で入力電圧を設定する。さらに、Ｃ３およびＣ４は、演算増幅器Ｕ１の信頼性のある動作のために適切な交流アースを提供する。
【００２１】
演算増幅器Ｕ１は負の入力（ピン４）に接続されているアナログタグモジュール１０４からの負のフィードバックを使用し動作する。Ｒ５は、アナログタグモジュール１０４のインピーダンスと組み合わせて演算増幅器Ｕ１の実際の閉ループゲインを画定する。本実施形態において、演算増幅器Ｕ１は、送信機の信号周波数以外の周波数になるようにタグ応答信号の周波数を変更するためにアナログタグモジュール１０４の誘導子２１０（図２）を駆動するための直流電流波形、例えば３００ｍＡＴを出力することができる。
【００２２】
従って、本発明は、タグ無効化回路１０８、および、任意選択でセンサー１１０を含む適応セキュリティ装置１０を提供し、それによってＥＡＳタグ１０４は適切な時間に有効化したり無効化したりすることができる。例えば、一実施形態において、上記の事は細いワイヤ（例えば３０ＡＷＧ）をＥＡＳタグ１０４の縦方向の軸に巻いて、巻数と電流の積が３００ミリアンペア回数以上になるようにワイヤに電流を通すことにより達成することができる。従ってタグ１０４のバイアスは電圧制御電流源（図２参照）により変更することができ、ＥＡＳ検査装置からの５８ｋＨｚ送信に対して応答しない。
【００２３】
代替的な実施形態においては、細いワイヤをボビンのような支持装置の周りに巻いてもよく、組立を容易にするために、ワイヤは両端ともコネクタまたはプリント回路基板の装着ポストで終了する。ボビンは好ましくはプラスチックのような非伝導材料から形成される。
【００２４】
別の代替的な実施形態においては、充分な強度（例えば１００ガウスより大きい）を有する単極性のパルスによりタグを永久的に消磁するために、外部バイアスストリップまたはワイヤを無効化不可能なタグ本体に巻くことができる。無効化不可能なタグは、充分な強度（例えば１００ガウスより大きい）を有する両極性（交流）のパルスを適用することにより再有効化することができる。
【００２５】
各実施形態において、電力損失時に有効状態に自動的に戻ることにより、適応セキュリティタグ１００が電力損失から保護される。本発明は誤認警報を引き起こさずにＥＡＳ検出領域内で動作できる、資本資産を盗難から保護する適応セキュリティ装置及びシステムを有利に提供し定義する。さらに本発明は、保護する資本資産がＥＡＳ検出領域の近く、またはその領域内で使用される場合に適応セキュリティ装置を無効化するタグ無効化電子回路を有利に提供し画定する。
【００２６】
当業者は、本発明が上記の本明細書で特に示され説明されたものには限られていないことを理解するであろう。さらに、上記で相容れないことが記述されていない限り、全ての添付図面は実物大ではないことに留意すべきである。上記の教示を踏まえて、下記の請求項のみで制限された本発明の範囲および精神から離れず様々な改造および変形が考えられる。
【図１】
2010525487.tif 000003
【図２】
2010525487.tif 000004
【図３】
2010525487.tif 000005
【図４】
2010525487.tif 000006
【国際調査報告】
2010525487.tif 000007
2010525487.tif 000008
2010525487.tif 000009